(57)【要約】【課題】窓や突起等の有無に拘わらず収納スペースを容易に確保できる、収納スペース構造を提供する。【解決手段】収納スペース構造１０は、部屋の一部を仕切ることによって収納スペースＳを確保するものであり、部屋の壁面に固定された取付部材１４と、取付部材１４に対して開閉自在に取り付けられた仕切板１６とによって構成される。収納スペース構造１０を組み立てる際には、工場において仮加工された構成部材が現場に搬入され、部屋の大きさ等に応じて取付部材１４や仕切板１６の大きさが調整される。【選択図】　　　図４
2004100168.tif 000002
【特許請求の範囲】
【請求項１】
部屋の一部を仕切ることによって収納スペースを確保する収納スペース構造であって、
前記部屋の壁面に固定された取付部材と、前記取付部材に開閉自在に取り付けられた仕切板とを備える、収納スペース構造。
【請求項２】
前記収納スペース内に設けられた係止部材と、前記係止部材に対して着脱自在に装着された収納部材とをさらに備える、請求項１に記載の収納スペース構造。
【請求項３】
前記仕切板の少なくとも一部は透光性を有する、請求項１または２に記載の収納スペース構造。
【発明の詳細な説明】
【０００１】
【産業上の利用分野】
この発明は、部屋の一部を仕切ることによって収納スペースを確保する、収納スペース構造に関する。
【０００２】
【従来の技術】
図８および図９を参照して、従来、台所，トイレまたは洗面所等のような狭小な部屋１内に収納スペース２を確保する際には、箱状のキャビネット３を壁面４に取り付けるようにしていた。
【０００３】
しかし、６面に側壁を有する箱状のキャビネット３では、取付箇所の広さや形状に応じて大きさを調整することができず、取付作業における融通性が悪いという問題があった。たとえば、壁面４に突起物や梁がある場合には、その突起物等を避けてキャビネット３を取り付けなければならず、また、図８および図９に示すように、窓５を有する壁面４にキャビネット３を取り付ける場合には、窓５からの光を遮らないようにキャビネット３を位置決めしなければならなかった。
【０００４】
【発明が解決しようとする課題】
それゆえに、この発明の主たる目的は、窓や突起等の有無に拘わらず収納スペースを容易に確保できる、収納スペース構造を提供することである。
【０００５】
【課題を解決するための手段】
請求項１に記載した発明は、「部屋１２の一部を仕切ることによって収納スペースＳを確保する収納スペース構造１０であって、部屋１２の壁面２８に固定された取付部材１４と、取付部材１４に開閉自在に取り付けられた仕切板１６とを備える、収納スペース構造１０」である。
【０００６】
この発明では、部屋１２の壁面２８に取付部材１４を介して仕切板１６が設けられ、この仕切板１６によって部屋１２内に収納スペースＳが確保される。
【０００７】
請求項２に記載した発明は、請求項１に記載した収納スペース構造において、「収納スペースＳ内に設けられた係止部材４０と、係止部材４０に対して着脱自在に装着された収納部材１８とをさらに備える」ことを特徴とする。
【０００８】
この発明では、収納部材１８に収納物４８を出し入れする際に、係止部材４０から収納部材１８を取り外すことができる。
【０００９】
請求項３に記載した発明は、請求項１または２に記載した収納スペース構造において、「仕切板１６の少なくとも一部は透光性を有する」ことを特徴とする。
【００１０】
この発明では、窓２６のある領域を収納スペースＳとする場合でも、仕切板１６の透光性部分（透光板４２）を通して部屋１２内に光を取り込むことができる。
【００１１】
【発明の実施の形態】
図１〜図３を参照して、この発明が適用された収納スペース構造１０は、台所，トイレまたは洗面所等のような狭小な部屋１２の一部を仕切ることによって収納スペースＳ（図３）を確保するようにしたものであり、図４および図６からよく分かるように、取付部材１４，２枚の仕切板１６，３つの収納部材１８および照明２０等によって構成される。なお、この実施例における部屋１２はトイレであり、その出入口にはドア２２（図２）が設けられており、ドア２２と対向する壁面２４には窓２６が設けられている。
【００１２】
取付部材１４（図４）は、壁面２４に対して直交する２つの壁面２８のそれぞれに固定された２つの長尺板状の固定部３０と、各固定部３０の上端部どうしを連結した長尺板状の連結部３２とによって略コ字状に構成される。各固定部３０は、各壁面２８（図１，図２）において仕切板１６を支持するものであり、その長さは、天井面から窓２６の上端縁までの距離よりもやや長めに設定される。一方、連結部３２は、仕切板１６を閉じる際に仕切板１６に当接されてこれを位置決めするものであり、その長さは、２つの壁面２８間の距離から各固定部３０の肉厚を差し引いた値に設定される。
【００１３】
そして、各固定部３０の上部および下部には、ビス３４を通すためのビス孔３６と、仕切板１６を開閉可能に支持するためのヒンジ３８とが設けられる。また、各固定部３０の上部間には、略棒状の係止部材４０が架け渡される。つまり、係止部材４０の一端が一方の固定部３０の上部に固定され、他端が他方の固定部３０の上部に固定される。
【００１４】
なお、ビス孔３６，ヒンジ３８および係止部材４０の数や位置は特に限定されるものではなく、取付部材１４や仕切板１６の大きさ等に応じて適宜変更されてもよい。また、取付部材１４の幅は、連結部３２の長さを変更することにより調整可能であり、上下方向長さは、各固定部３０の長さを変更することにより調整可能である。
【００１５】
各仕切板１６（図４）は、透明アクリル板等のような透光性の板材からなる長方形の透光板４２と、透光板４２の両側端部に固定された２つの縦框４４とによって構成される。各縦框４４は、図５に示すように、透光板４２の側端部を受ける段部４４ａを有し、この段部４４ａに対して透光板４２がビス４６によって固定される。各仕切板１６の幅は、互いに対向する２つの壁面２８間の距離の２分の１よりもやや狭く設定され、各仕切板１６の長さは、取付部材１４における固定部３０の長さとほぼ同じに設定される。
【００１６】
なお、透光板４２の幅や色は特に限定されるものではなく、窓２６からの採光性やデザイン等を考慮しながら適宜変更されてもよい。また、各仕切板１６の幅は、透光板４２の幅を変更することにより調整可能であり、上下方向長さは、透光板４２および各縦框４４の長さを変更することにより調整可能である。
【００１７】
各収納部材１８（図６）は、収納スペースＳ内においてトイレットペーパ等のような収納物４８を収容するものであり、金属またはプラスチック等からなる線材により形成されたカゴ本体５２を含む。そして、カゴ本体５２の上部には、係止部材４０に係止されるフック状の係止部５４が形成される。なお、収納部材１８の数，大きさ，材質，形状等は特に限定されるものではなく、収納物４８の種類等に応じて適宜変更されてもよい。
【００１８】
ただし、収納部材１８を軽量化するためには、カゴ本体５２を線材で構成することが望ましく、係止部材４０に対する収納部材１８の脱着性を高めるためには、係止部材４０に対して係止部５４を単に引っ掛ける構造であることが望ましい。
【００１９】
照明２０は、収納スペースＳ内を照らす電気器具であり、リフレクタ５６とリフレクタ５６の内側に配置された図示しないランプとを含む。そして、この照明２０が収納スペースＳを構成する壁面２４にビス等を用いて固定される。
【００２０】
このような収納スペース構造１０を用いて部屋１２の内部に収納スペースＳを確保する際には、まず、工場において仮加工された構成部材が現場に搬入され、取付部材１４および各仕切板１６の大きさが現場において調整される。
【００２１】
つまり、取付部材１４の幅が２つの壁面２８間の距離よりも広い場合には、鋸等で連結部３２が所定長さに切断されて取付部材１４の幅が適正幅に調整され、かつ、透光板４２が所定幅に切断されて仕切板１６の幅が適正幅に調整される。また、取付部材１４の上下方向長さが長過ぎる場合には、鋸等で各固定部３０が所定長さに切断されて取付部材１４の長さが適正長さに調整され、かつ、透光板４２および各縦框４４が所定長さに切断されて仕切板１６の長さが適正長さに調整される。
【００２２】
そして、各仕切板１６がヒンジ３８を介して取付部材１４に取り付けられ、取付部材１４がビス３４によって部屋１２の壁面２８に固定される。また、収納スペースＳを構成する壁面２４に対して照明２０が取り付けられ、取付部材１４に固定された係止部材４０に対して各収納部材１８が着脱自在に装着される。
【００２３】
この実施例によれば、取付部材１４および各仕切板１６の大きさを調整するだけで、多様な部屋１２に対して収納スペースＳを容易に確保することができる。
【００２４】
また、係止部材４０から各収納部材１８を取り外すことができるので、手の届かないような高い位置に収納物４８を保管する場合でも、収納物４８を容易に出し入れすることができる。
【００２５】
さらに、窓２６から収納スペースＳ内へ入射した光が仕切板１６の透光板４２を通して部屋１２内に取り込まれるので、採光性が損なわれる心配はない。
【００２６】
なお、上述の実施例では、仕切板１６を扉式に開閉させるようにしているが、仕切板１６の開閉方式は適宜変更可能であり、たとえば図７に示すような引戸式が採用されてもよい。ただし、引戸式の場合には、各仕切板１６を摺動させるための敷居部５８を設ける必要がある。
【００２７】
また、上述の実施例では、取付部材１４に対して係止部材４０を固定するようにしているが、これに代えて、収納スペースＳを構成する壁面２４や壁面２８等に対して係止部材４０を固定するようにしてもよい。つまり、係止部材４０は収納スペースＳ内に設けられる必要はあるが、その固定箇所は特に限定されるものではない。
【００２８】
【発明の効果】
請求項１〜３に記載した発明によれば、取付部材や仕切板の大きさを調整するだけで、窓や突起等の有無に拘わらず収納スペースを容易に確保できる。
【００２９】
請求項２に記載した発明によれば、係止部材から収納部材を取り外すことができるので、収納部材に対して収納物を容易に出し入れすることができる。
【００３０】
請求項３に記載した発明によれば、仕切板の少なくとも一部が透光性を有するので、窓のある領域を収納スペースとする場合でも、仕切板によって採光が妨げられるのを防止できる。
【図面の簡単な説明】
【図１】この発明の一実施例を示す正面図である。
【図２】この発明の一実施例を示す側面図である。
【図３】この発明の一実施例を示す部分断面図である。
【図４】この発明の一実施例の主要部を示す斜視図である。
【図５】仕切板を示す平面図である。
【図６】収納部材を示す斜視図である。
【図７】他の実施例の主要部を示す斜視図である。
【図８】従来技術を示す正面図である。
【図９】従来技術を示す側面図である。
【符号の説明】
１０…　収納スペース構造
１２…　部屋
１４…　取付部材
１６…　仕切板
１８…　収納部材
２０…　照明
２６…　窓
２８…　壁面
３０…　固定部
３２…　連結部
３４…　ビス
３８…　ヒンジ
４０…　係止部材
４２…　透光板
４４…　縦框
４８…　収納物
【図１】
2004100168.tif 000003
【図２】
2004100168.tif 000004
【図３】
2004100168.tif 000005
【図４】
2004100168.tif 000006
【図５】
2004100168.tif 000007
【図６】
2004100168.tif 000008
【図７】
2004100168.tif 000009
【図８】
2004100168.tif 000010
【図９】
2004100168.tif 000011